(57)【要約】【課題】一般の青果物と低温感受性青果物を適切な温度で保存することができる冷蔵庫を温度制御が容易な構成により提供する。【解決手段】断熱箱体１の内部を左右に区画し、その一方を上下に区画して冷凍室１５と冷蔵室１４とし、他方を上下に区画して第１野菜室１２と第２野菜室１３とし、冷蔵室１４及び第１野菜室１２には冷却器室３４に配設された冷却器３２によって冷却された空気が冷気供給ダクト４０ａ，４０ｂを介して供給され、第１野菜室１２を循環した冷気が、連通ダクト５１及び迂回ダクト５０を介して第２野菜室１３及び冷却器室３４に導入可能に設けられ、第２野菜室１３の室内温度が第１野菜室１２より高く設定されていることを特徴とする。【選択図】        図３
2009019801.tif 000002
【特許請求の範囲】
【請求項１】
断熱箱体の内部を左右に区画して、その一方を上下に区画して冷凍室と冷蔵室とし、他方を上下に区画して第１野菜室と第２野菜室とし、前記第２野菜室の室内温度が前記第１野菜室より高く設定されていることを特徴とする冷蔵庫。
【請求項２】
冷却器室に配設した冷却器によって冷却された空気を前記冷蔵室及び前記第１野菜室に供給する冷気供給ダクトと、前記第１野菜室と前記第２野菜室とを連通する連通ダクトと、前記第１野菜室と前記冷却器室とを連通する迂回ダクトとを備えことを特徴とする請求項１に記載の冷蔵庫。
【請求項３】
前記冷凍室を下方に配置しその背部に前記冷却器室を配設し、前記第２野菜室を下方に配置しその背面に圧縮機及び凝縮器が収納された機械室を配設することを特徴とする請求項１又は２に記載の冷蔵庫。
【請求項４】
前記第２野菜室に流入する冷気を脱臭除菌する脱臭除菌装置が前記第１野菜室から前記第２野菜室までの流路内に配設されていることを特徴とする請求項１〜３のいずれか一項に記載の冷蔵庫。
【発明の詳細な説明】
【技術分野】
【０００１】
本発明は、冷蔵庫に関し、特に、室内温度が異なる２種類の野菜室を備え、野菜や青果の種類に応じた適切な温度で冷蔵貯蔵できる冷蔵庫に関する。
【背景技術】
【０００２】
従来、約０℃〜５℃程度の冷蔵温度に設定された冷蔵室に加え、野菜や果実等の青果物の貯蔵に適した野菜室を備えた冷蔵庫が知られている。このような冷蔵庫では、通常、冷蔵室内部の温度を基準として駆動制御される冷却器より発生した冷気を冷蔵室及び野菜室に供給して各貯蔵室を冷却するようになっている。そのため、例えば、冷蔵室の温度上昇に対応する為に急速冷却を行うと野菜室が過冷却になるといったように、野菜室は冷蔵室の温度制御に対して従属的となる。
【０００３】
ところで、野菜や果実の中には、サツマイモ、カボチャ、キュウリ、ナス、バナナ、メロン等、冷やしすぎると変色、軟化、水膨れ等のいわゆる低温障害を起こす低温感受性青果物が知られている。これらの低温感受性青果物では約１０℃以上で保存することが適している。そこで、一般の青果物と低温感受性青果物のそれぞれに適した温度に設定された２つの貯蔵空間を有する冷蔵庫が提案されている（例えば、特許文献１参照）。
【特許文献１】特開平６−３０７７６０号公報
【発明の開示】
【発明が解決しようとする課題】
【０００４】
しかしながら、下記特許文献１では、異なる内部温度に設定された貯蔵空間が、野菜室の内部に配設された野菜容器内を区画することで形成されているため、それぞれの貯蔵空間の温度制御が困難であるという問題がある。
【０００５】
しかも、単一の冷却器によって冷蔵室及び野菜室を冷却する場合、上記のように野菜室は冷蔵室の温度制御に対して従属的となるため、冷蔵室に加えて野菜室内に設けられた２つの貯蔵空間を異なる内部温度に温度制御するのが更に困難である問題がある。
【０００６】
なお、下記特許文献１には、圧縮機の排熱を利用して野菜室の温度を所定温度に設定する点が記載されているものの、野菜室の温度に合わせて圧縮機の発熱量を制御することは困難であるとともに、積極的に庫内へ熱漏洩を促すものであり、消費電力の観点からも問題がある。
【０００７】
本発明は、上記事情を考慮してなされたものであり、冷蔵室と野菜室を別個に制御し、しかも、一般の青果物と低温感受性青果物を適切な温度で保存することができる冷蔵庫を温度制御が容易な構成により提供することを目的とする。
【課題を解決するための手段】
【０００８】
本発明の冷蔵庫は、断熱箱体の内部を左右に区画し、その一方を上下に区画して冷凍室と冷蔵室とし、他方を上下に区画して第１野菜室と第２野菜室とし、前記第２野菜室の室内温度が前記第１野菜室より高く設定されていることを特徴とする。
【発明の効果】
【０００９】
本発明では、異なる室内温度に設定された第１野菜室及び第２野菜室は断熱箱体の内部を区画してそれぞれ独立した貯蔵室をなしているため、冷却器によって冷却された空気を各貯蔵室に供給する流路をレイアウトしやすく温度制御が容易となる。
【発明を実施するための最良の形態】
【００１０】
以下、図面に基づき本発明の１実施形態について説明する。図１は本実施形態に係る冷蔵庫１０の正面図、図２は図１から扉を除去し貯蔵室内を示す正面図、図３は冷蔵庫１０の風路を示す正面図、図４は図１のＡ−Ａ断面図、図５は図１のＢ−Ｂ断面図である。
【００１１】
冷蔵庫１０は、図１及び図２に示すように、高さ寸法より幅寸法を大きく設けた横長の外形とした断熱箱体１の内部が断熱縦仕切壁３を含む縦仕切壁２で左右に区画されるとともに、左右それぞれの区画が断熱横仕切壁５を含む横仕切壁４で更に上下に区画され個々の独立した貯蔵室１２，１３，１４，１５を形成している。
【００１２】
詳細には、左右の区画のうち一方の区画（例えば、本実施形態では図１の左側の区画）は横仕切壁４によって上下に区画され、上方が０℃〜５℃の室内温度に設定され比較的低温での貯蔵に適した大根、ほうれん草、キャベツ、ゴボウ、タマネギ等の青果物を収納する第１野菜室１２をなし、下方が第１野菜室１２より高い室内温度（例えば、１０℃）に設定されサツマイモ、カボチャ、キュウリ、ナス、バナナ、メロン等の低温感受性青果物を収納する第２野菜室１３をなしている。
【００１３】
また、左右の区画のうち他方の区画（例えば、本実施形態では図１の右側の区画）は、断熱横仕切壁５によって上下に区画され、上方が冷蔵貯蔵空間として冷蔵食品を収納する冷蔵室１４をなし、下方が冷凍貯蔵空間として冷凍食品の保存やホームフリージングを行う冷凍室１５をなしている。この冷凍室１５内の第２野菜室１２側には、図２及び図４に示すように、製氷空間１６が形成されており、第１野菜室１２内において縦仕切壁２に沿って設けられた給水タンク１８からの給水を受けて製氷を行う自動製氷装置２０が設置され、その下方には離氷された氷粒を貯蔵する貯氷箱２２が配設されている。
【００１４】
各貯蔵室１２，１３，１４，１５の前面には、それぞれ独立した扉１２ａ，１３ａ，１４ａ，１５ａが配設され、各扉１２ａ，１３ａ，１４ａ，１５ａの背面に固定された支持枠に容器１２ｂ，１３ｂ，１４ｂ，１５ｂが保持されており、室内側壁面に設けた不図示のレール部材によって開扉動作とともに各容器１２ｂ，１３ｂ，１４ｂ，１５ｂが室外に引き出されるようになっている。
【００１５】
冷凍室１５の背面には、図３及び図４に示すように、冷却器３２を収納した冷却器室３４が配置され、この冷却器室３４には、冷却器３２で冷却した空気を第１野菜室１２、冷蔵室１４、及び冷凍室１５に送風する冷気供給ダクト４０と、第１野菜室１２を冷却した冷気を冷却器室３４に戻す迂回ダクト４１と、が接続されている。冷気供給ダクト４０内には冷却ファン３６と冷気ダンパ３８が配設され、迂回ダクト４１内には迂回ダンパ３９が配設されており、冷却ファン３６及びダンパ３８，３９によって供給される冷気量を制御することで各貯蔵室１２，１３，１４，１５が設定温度になるように構成している。
【００１６】
詳細には、冷気供給ダクト４０は、第１野菜室１２内に冷気を送る野菜室吹出ダクト４０ａと、冷蔵室１４内に冷気を送る冷蔵室吹出ダクト４０ｂと、冷凍室１５内に冷気を送る冷凍室吹出ダクト４０ｃと接続され、冷気ダンパ３８によって野菜室吹出ダクト４０ａ及び冷蔵室吹出ダクト４０ｂに導かれる冷気量を調整可能に設けている。
【００１７】
各吹出ダクト４０ａ，４０ｂ，４０ｃの所定位置には吹出口４２，４３，４４が設けられており、庫内に冷気を吹き出して第１野菜室１２、冷蔵室１４、及び冷凍室１５をそれぞれ冷却するようになっている。
【００１８】
吹出口４３，４４から吹き出されて冷蔵室１４及び冷凍室１５内を循環した冷気は、冷蔵室１４及び冷凍室１５の下方背面に配設された吸込口４５，４６から吸い込まれリターンダクト４７，４８を介して冷却器３２に戻るようになっている。
【００１９】
一方、吹出口４２から吹き出された冷気は、図５において矢印で示すように第１野菜室１２内部に収納された容器１２ｂの背面部を流下して間接的に冷却することで、容器１２ｂ内を高湿度の雰囲気に保持して冷却する。その際、第１野菜室１２内を流通する冷気は、第１野菜室１２の吹出口４２から第２野菜室１３の吹出口５２に至る冷気の流路内に、例えば、容器１２ｂの後方に配設された脱臭除菌装置６０内を通過して脱臭除菌される。
【００２０】
この脱臭除菌装置６０は、例えば、アルミナやシリカ等の多孔質セラミックからなる基体の表面に酸化チタン等の光触媒粒子を固定した光触媒フィルタを網目状に形成した放電電極及び対極の間に対向配置させてなる光触媒モジュールと、二酸化マンガンを主体としたハニカム形状の焼結体からなるオゾン分解触媒とを備え、放電電極と各対極との間に正のパルス状直流高電圧を印加することで、流通する冷気に含まれ臭いの原因となる有機物やカビ等の雑菌を除去するものである。
【００２１】
第１野菜室１２内を流通した冷気は、第１野菜室１２の底面あるいは下方背面に配設された吸込口４９，５０から排出されるようになっている。
【００２２】
すなわち、第１野菜室１２から排気される冷気の一部は、第１野菜室１２及び第２野菜室１３を区画する横仕切壁４に設けられた吸込口４９から吸い込まれ、第１野菜室１２と第２野菜室１３とを連通する連通ダクト５１を介して吹出口５２より第２野菜室１３内に吹き出される。そして、吹出口５２から吹き出された冷気は、第２野菜室１３内部に収納された容器１３ｂの背面部を流下して間接的に冷却することで、容器１３ｂ内を高湿度の雰囲気に保持して冷却した後、第２野菜室１３の下方背面に配設された吸込口５３からリターンダクト５４を介して冷却器３２に戻るようになっている。
【００２３】
また、第１野菜室１２から排気される冷気の残りは、吸込口５０から吸い込まれ第１野菜室１２と冷却器室３４とを連通する迂回ダクト４１を介して冷却器３２に戻るようになっている。
【００２４】
このような構成の冷蔵庫１０では、冷却ファン３６と冷気ダンパ３８を制御して吹出ダクト４０ａ，４０ｂ，４０ｃを介して吹出口４２，４３，４４より庫内に供給される冷気量を調整するとともに、迂回ダンパ３９を制御して連通ダクト５１を介して吹出口５２より庫内に供給される冷気量を調整することで各貯蔵室１２，１３，１４，１５を循環する冷気量を個別に制御して室内温度を設定温度に制御することができる。
【００２５】
特に、迂回ダンパ３９の制御により連通ダクト５１と迂回ダクト４１とに分流される冷気量を調整することができるため、第１野菜室１２の冷却能力を低下させることなく第２野菜室１３を循環する冷気量を抑えることができる。
【００２６】
このように、迂回ダンパ３９を備えた迂回ダクト４１を設けるといった簡単な構成により、単一の冷却器３２であっても冷蔵室１４と第１野菜室１２の温度制御に加え第２野菜室１３の温度制御も可能となり、一般の青果物と低温感受性青果物のそれぞれに適した室内温度に第１野菜室１２及び第２野菜室１３を制御することができる。
【００２７】
また、本実施形態では、冷蔵室１４から冷却器室３４に冷気を戻すリターンダクト４７が、第１野菜室１２及び第２野菜室１３から冷却器室３４に冷気を戻すリターンダクト５４及び迂回ダクト４１と途中で合流することなく冷却器室３４に接続されている。
【００２８】
詳細には、リターンダクト４７は冷却器室３４の一方側面（本実施形態では、図２における右側面）と接続され、冷却器３２の一方側の下方より冷蔵室１４からの冷気を吹き付けるように構成されており、リターンダクト５４及び迂回ダクト４１は冷却器室３４の他方側面（本実施形態では、図２における左側面）と接続されており、冷却器３２の他方側の下方より第１野菜室１２及び第２野菜室１３からの冷気を吹き付けるように構成されている。
【００２９】
このように、リターンダクト４７と、リターンダクト５４及び迂回ダクト４１とが合流することなく別個のダクトを形成することで、冷蔵室１４を循環した冷気と、第１野菜室１２及び第２野菜室１３を循環した冷気と、を冷却器３４の異なる部位に吹き付けることができ、これにより、冷却器３４の局部的な着霜を抑えてヒータ加熱等による除霜時間を短縮することができ、省電力化及び庫内温度の安定化を図ることができる。
【００３０】
さらに、図４及び図５に示すように、第２野菜室１３の背部の断熱壁外には、貯蔵室内側に凹陥する機械室２２を形成し、冷凍サイクルにおける高温部材である冷媒の圧縮機２４やこれに外気を送風する放熱ファン２６や補助凝縮器２８を配設している。
【００３１】
この補助凝縮器２８は、蛇行状の冷媒管に放熱フィンを固着した板状体を複数段積層することで外形を直方体としたものであって、第２野菜室１３に対応する断熱壁の下面に配設した蛇行状の冷媒管とワイヤからなる板状の主凝縮器３０とともに圧縮機２４から吐出される高温高圧の冷媒を受け入れて放熱し凝縮するものである。
【００３２】
なお、補助凝縮器２８は、冷蔵庫構成上、比較的幅広に設けることができる機械室２２内に設置しやすいものであるが、主凝縮器３０の放熱力で必要な冷却性能が得られれば、特に設ける必要はない。
【００３３】
このように、室内温度を高く設定した第２野菜室１３の背部に圧縮機２４などの高温を発する部材を収納した機械室２２を配設しているため、断熱壁厚を最小限に設定することができ、また、第２野菜室１３の底面に板状の主凝縮器３０を配設することで、冷凍室１５の底面に高温部材を配置しないようにしたので断熱性能を向上して消費電力量の低減を図ることができる。
【００３４】
さらに、冷凍室１５の背面に冷却器室３４を設け冷却器３２を配置しているため、両者の間には基本的に断熱壁が不要となり、冷凍室１５の容積効率を向上させることができる。
【図面の簡単な説明】
【００３５】
【図１】本発明の１実施形態に係る冷蔵庫の正面図である。
【図２】図１から扉を除去し貯蔵室内を示す正面図である。
【図３】本発明の１実施形態に係る冷蔵庫の風路を示す正面図である。
【図４】図１のＡ−Ａ断面図である。
【図５】図１のＢ−Ｂ断面図である。
【符号の説明】
【００３６】
１…断熱箱体
１０…冷蔵庫
１２…第１野菜室
１３…第２野菜室
１４…冷蔵室
１５…冷凍室
３２…冷却器
３４…冷却器室
３６…冷却ファン
３８…冷気ダンパ
３９…迂回ダンパ
４０…冷気供給ダクト
４１…迂回ダクト
【図１】
2009019801.tif 000003
【図２】
2009019801.tif 000004
【図３】
2009019801.tif 000005
【図４】
2009019801.tif 000006
【図５】
2009019801.tif 000007